(57)【要約】【課題】送受信センサー方式による位置検知式送受信機能を用いたインタラクティブボードでありながら、タッチパネルセンサー方式を用いたインタラクティブボードと同等の仕様であり、使用者だけでなく施工業者にとっても利便性が高く、しかも環境に優しいインタラクティブボードを提供すること。【解決手段】プロジェクター１を支持するためのプロジェクターハンガー２と、マーカー等の入力手段のボード５上における位置を検知する位置検知センサー３と、パソコン置き台４とを備えていることを特徴とするインタラクティブボードで、位置検知センサー３は、プロジェクターハンガー２に一体に設置される場合とボード５のボード面又は枠部分に設置される場合とがある。また、プロジェクターハンガー２がボード５に対して横方向に移動可能に設置される。【選択図】図１
2010201807.tif 000002
【特許請求の範囲】
【請求項１】
プロジェクターを支持するためのプロジェクターハンガーと、マーカー、スタイラスその他の入力手段のボード上における位置を検知する位置検知センサーと、パソコン置き台とを備えていることを特徴とするインタラクティブボード。
【請求項２】
前記位置検知センサーは、前記プロジェクターハンガーに一体に設置される、請求項１に記載のインタラクティブボード。
【請求項３】
前記プロジェクターハンガーは、ボードに対して横方向に移動可能に設置され、前記位置検知センサーは、前記プロジェクターハンガーに一体に設置される、請求項２に記載のインタラクティブボード。
【請求項４】
前記位置検知センサーは、前記ボードのボード面又は枠部分に設置される、請求項１に記載のインタラクティブボード。
【請求項５】
前記プロジェクターハンガーは、ボードに対して横方向に移動可能に設置され、前記位置検知センサーは、前記ボードのボード面又は枠部分に設置される、請求項４に記載のインタラクティブボード。
【請求項６】
前記プロジェクターハンガーの横方向への移動は、前記ボードの上辺及び下辺に沿って設置されたスライドレールに沿って行われる、請求項３又は５に記載のインタラクティブボード。
【請求項７】
前記上辺のスライドレール及び／又は下辺のスライドレールは、平行に複数本敷設される、請求項６に記載のインタラクティブボード。
【請求項８】
前記複数本敷設されるスライドレールのスライド面は、同じ方向を向く、請求項７に記載のインタラクティブボード。
【請求項９】
前記複数本敷設されるスライドレールのスライド面は、互いに異なる方向を向く、請求項７に記載のインタラクティブボード。
【請求項１０】
前記パソコン置き台は、前記プロジェクターハンガーに一体に設置される、請求項１乃至９のいずれかに記載のインタラクティブボード。
【請求項１１】
前記パソコン置き台は、前記プロジェクターハンガーと切り離して設置される、請求項１乃至９のいずれかに記載のインタラクティブボード。
【請求項１２】
前記プロジェクターハンガーは、プロジェクターを映写に好適な位置に移動させ、且つ、好適な向きに向けることが可能な状態にて前記プロジェクターを吊持するアームを有する、請求項１乃至１１のいずれかに記載のインタラクティブボード。
【請求項１３】
前記アームは、前記プロジェクターが、上下方向及び／又は前記アームの長さ方向に移動し得るように吊持すると共に、前記プロジェクターが、所望の方向に向けて回動し得るように支持することを特徴とする、請求項１２に記載のインタラクティブボード。
【請求項１４】
前記アームは、水平方向に旋回可能に軸支される、請求項１２又は１３に記載のインタラクティブボード。
【請求項１５】
前記アームは、上下方向に移動可能に支持される、請求項１２乃至１４のいずれかに記載のインタラクティブボード。
【請求項１６】
壁面固定式である、請求項１乃至1５のいずれかに記載のインタラクティブボード。
【請求項１７】
移動式である、請求項１乃至1５のいずれかに記載のインタラクティブボード。
【請求項１８】
スライドコンセントを備えている、請求項１乃至1７のいずれかに記載のインタラクティブボード。
【発明の詳細な説明】
【技術分野】
【０００１】
本発明は、インタラクティブボード、より詳細には、電子黒板、ホワイトボード、スクリーンボード等の投影表示面を有するボードで、超音波・赤外線型、光学・赤外線型及びレーザ光線型等の送受信センサー方式による位置検知式送受信機能を備えたインタラクティブボードに関するものである。
【背景技術】
【０００２】
近時、学校等の教育関連施設や病院等の公共施設、あるいは、企業等において、インタラクティブボードが広く使用されるようになってきている。このインタラクティブボードは、コンピュータのデスクトップを投影する二次元表面型のデバイスであって、ユーザーがその表面上に行ったことをコンピュータに入力する機能を備えたものである。もちろん電子黒板としての使用も可能であるが、それにプロジェクターを装備して使用することで、汎用的な対話型コンピュータスクリーンとなり得るものである。
【０００３】
このインタラクティブボードにおける、機器間の双方向通信のための位置検知方式としては、デジタル感圧型や電磁気型等のタッチパネルセンサー方式のものと、超音波・赤外線型、光学・赤外線型及びレーザ光線型等の送受信センサー方式のものとがある。このうち後者のものにあっては、ホワイトボ―ド、電子黒板あるいはスクリーン面等の投影表示面に、位置検出用の送受信センサー機器をポータブル型として単独で貼り付け設置するか、センサー機器自体を投影表示面本体に埋設したりするかして、インタラクティブボードとしての機能を実現させて、市場への製品提供がなされている。
【０００４】
しかるに、これらの従来のインタラクティブボードの使用環境を整える場合、投影表示面に映像等の情報の投写をする必要から、多くの場合プロジェクターを、天井や壁等のボード以外の場所に固定していた。そのために、各種のプロジェクター吊り下げ固定装置の配設工事をしたり、その都度ボードの前面に机等のプロジェクター設置台を配置したりする必要があり、それは、使用者にとって煩わしい作業であった。
【０００５】
このように使用者にとって煩わしく、手間の掛かる映像情報の表示のための事前準備作業を省略するため、タッチパネルセンサー式を用いたインタラクティブボードにつき、電子ボード自体にプロジェクターの可動式吊り下げ装置を実装させる提案が、本願出願人によって種々なされると共に（特願２００８−３１８４１９号、特願２００７−２９１７３６号、特願２００７−２９１８２６号等）、使用者に対する利便性や機器省略等による環境性の向上を図った製品も既に市場に提供されている。
【０００６】
しかしながら一方、超音波・赤外線型、光学・赤外線型及びレーザ光線型等の送受信センサー方式による位置検知式送受信機能を用いたインタラクティブボードについては、上述した使用者の利便性は十分に考慮されておらず、また一方で、機器の据付設置工事の施工業者等に対する利便性の考慮も不足しており、利用者及び施工業者の双方を満足させる仕様を実現し得る製品は、未だ市場に提供されていない。
【先行技術文献】
【特許文献】
【０００７】
【特許文献１】特願２００８−３１８４１９号
【特許文献２】特願２００７−２９１７３６号
【特許文献３】特願２００７−２９１８２６号
【発明の概要】
【発明が解決しようとする課題】
【０００８】
本発明は上記背景の下になされたものであって、本発明が解決しようとする課題は、超音波・赤外線型、光学・赤外線型及びレーザ光線型等の送受信センサー方式による位置検知式送受信機能を用いたインタラクティブボードでありながら、タッチパネルセンサー方式を用いたインタラクティブボードと同等の仕様であり、各種の黒板やホワイトボードにつき、既設、新設を問わず採用可能であって、使用者だけでなく施工業者にとっても利便性が高く、しかも環境に優しいインタラクティブボードを提供するところにある。
【課題を解決するための手段】
【０００９】
上記課題を解決するための請求項１に記載の発明は、プロジェクターを支持するためのプロジェクターハンガーと、マーカー、スタイラスその他の入力手段のボード上における位置を検知する位置検知センサーと、パソコン置き台とを備えていることを特徴とするインタラクティブボードである。
【００１０】
前記位置検知センサーは、前記プロジェクターハンガーに一体に設置される場合と前記ボードのボード面又は枠部分に設置される場合とがあり、また、前記プロジェクターハンガーがボードに対して横方向に移動可能に設置されて、前記位置検知センサーが前記プロジェクターハンガーに一体に設置される場合と、前記プロジェクターハンガーがボードに対して横方向に移動可能に設置されて、前記位置検知センサーが前記ボードのボード面又は枠部分に設置される場合とがある。
【００１１】
一実施形態においては、前記プロジェクターハンガーの横方向への移動は、前記ボードの上辺及び下辺に沿って設置されたスライドレールに沿って行われ、前記上辺のスライドレール及び／又は下辺のスライドレールは、平行に複数本敷設されることがあり、その場合、前記複数本敷設されるスライドレールのスライド面は、同じ方向を向く場合と互いに異なる方向を向く場合とがある。そして、前記パソコン置き台は、前記プロジェクターハンガーに一体に設置され、あるいは、前記プロジェクターハンガーと切り離して設置される。
【００１２】
また、一実施形態において前記プロジェクターハンガーは、プロジェクターを映写に好適な位置に移動させ、且つ、好適な向きに向けることが可能な状態にて前記プロジェクターを吊持するアームを有し、前記アームは、前記プロジェクターが、上下方向及び／又は前記アームの長さ方向に移動し得るように吊持すると共に、前記プロジェクターが、所望の方向に向けて回動し得るように支持する。前記アームは、水平方向に旋回可能に軸支され、また、上下方向に移動可能に支持される。
【００１３】
本インタラクティブボードは、壁面固定式のものであってもよいし、移動式のものであってもよい。また、好ましくは、スライドコンセントを備え付けたものとされる。
【発明の効果】
【００１４】
本発明は上述したとおりであって、本発明に係るインタラクティブボードは、プロジェクターを支持するためのプロジェクターハンガーと、マーカーやスタイラス等の入力手段のボード上における位置を検知する位置検知センサーと、パソコン置き台とを備えて成るので、超音波・赤外線型、光学・赤外線型及びレーザ光線型等の送受信センサー方式による位置検知式送受信機能を用いたインタラクティブボードでありながら、タッチパネルセンサー方式を用いたインタラクティブボードと同様に、各種の黒板やホワイトボードにつき、既設、新設を問わず採用可能であり、且つ、使用者並びに施工業者にとって利便性が高く、しかも環境に優しいインタラクティブボードを提供し得る効果がある。
【００１５】
また、別途パソコン台を用意することなく、プロジェクター、ボード、パソコンを三位一体として即時プロジェクターの使用が可能となり、プロジェクターの使用者が、最適な状態にて映写するために、映写ボード面に対するプロジェクターの高さ位置、傾斜角度、前後方向の位置、旋回角度等の調節を任意に行うことができて、使用者の利便性を飛躍的に高めることができる効果がある。
【００１６】
更に、新規設置の場合に限らず、既存の黒板補修時等の機会においても、容易に据付設置が可能で、既存の黒板等の機能を拡大し得る効果があり、請求項１３に記載の発明においては、電源コード類が散乱して見苦しくなることを回避できて、周辺の安全性を向上させ得る効果がある。
【図面の簡単な説明】
【００１７】
【図１】本発明に係るインタラクティブボードの一実施形態（壁面固定型）を示す概略正面図である。
【図２】図１に示す実施形態の変形例を示す概略正面図である。
【図３】図１に示す実施形態の他の変形例を示す概略正面図である。
【図４】本発明に係るインタラクティブボードの他の実施形態（移動式）を示す概略側面図である。
【図５】本発明に係るインタラクティブボードにおけるスライドレールとスライダーとの係合関係を示す図である。
【図６】図２に示す実施形態における並走レールのそれぞれ異なる構成例を示す断面図である。
【図７】本発明に係るインタラクティブボードにおけるプロジェクターハンガーの構成例を示す図である。
【図８】本発明に係るインタラクティブボードにおいて用いることのあるプロジェクター吊持具の構成例を示す図である。
【図９】本発明に係るインタラクティブボードにおいて用いることのあるプロジェクター吊持具の他の構成例を示す図である。
【図１０】本発明に係るインタラクティブボードにおいて用いることのあるスライドコンセント及び集中電源コンセントの構成例を示す図である。
【発明を実施するための形態】
【００１８】
以下に、本発明を実施するための形態について、図面に依拠して説明する。本発明に係るインタラクティブボードは、プロジェクター１を支持するためのプロジェクターハンガー２と、マーカーやスタイラス等の入力手段のボード上における位置を検知する位置検知センサー３と、パソコン置き台４とを備えていることを特徴とするものである。
【００１９】
本発明は、壁面固定型と移動型のいずれのボードに対しても適用可能である。図１及び図２に示される第１の実施形態は、既設の壁面固定型の大型平面黒板についてのものであり、プロジェクターハンガー２をボード５に沿って横方向に移動可能にしたものである。この実施形態における位置検知センサー３は、プロジェクターハンガー２に一体に設置されるが、後述する第２の実施形態におけるように、別体にて設置することもできる（図３参照）。
【００２０】
図１に示す例では、壁面に固定されたボード５の上辺及び下辺に沿ってスライドレール６、７がそれぞれ１本ずつ敷設され、各スライドレール６、７に、摺動又は転動可能なスライダー８、９が設置される。また、更に使用上の利便性を高めるために、図２に示す例のように、スライドレール６、７を、それぞれ複数（図では２本）ずつ敷設することもある。図２においては、その利用例として、下側のスライドレール７の下段に、フック型吊下げ具３２が取り付けられ、そこに配線コード３３を吊下げる例が示されている。
【００２１】
スライドレール６、７とこれに係合するスライダー８、９の構成は任意で、例えば、スライドレール６、７として断面が角Ｃ字形のものを用い、スライダー８、９として、スライドレール６、７内に係止されて転動するコロ８ａ、９ａを備えたブロックとすることができる（図５参照）。あるいは、スライドレール６、７としてＬＭガイドを用い、スライダー８、９として、ＬＭボールを備えたブロックとすることもできる。
【００２２】
図６は、スライドレール６、７をそれぞれ複数並走させる場合におけるスライドレール６、７の断面形状例を示すもので、（Ａ）に示す例は、正面向きレールを二段近接させて設けたもので、（Ｂ）に示す例は、正面向きレールを二段離隔させて設けたもので、（Ｃ）に示す例は、上段を上向きレールとし、下段を正面向きレールとしたもので、（Ｄ）に示す例は、上段を正面向きレールとし、下段を下向きレールとしたものであり、他にも、用途に応じて種々の組み合わせが可能である。また、図示してないが、更に必要に応じて、スライドレール６、７の他に、ボード５の側辺に縦レールを配することもできる。
【００２３】
第１の実施形態においては、スライダー８、９は連結支柱１０によって連結され、スライダー８とスライダー９とが一体となって、スライドレール６、７に沿って移動する。例えば、位置検知センサー３は、この連結支柱１０に固定されることで、プロジェクターハンガー２に一体化され、プロジェクターハンガー２と共に移動可能となる。
【００２４】
プロジェクターハンガー２は、電子黒板、ホワイトボード、スクリーンボード等の各種ボードの機能を有するボード５の画像投影面に向けて支持するためのアーム１１を有し、通例該アーム１１は、上側のスライダー８に設置される。アーム１１は、プロジェクター１が映写に好適な位置に移動し、且つ、好適な向きに向くように、例えば、プロジェクター１が、上下方向及び／又はアーム１１の長さ方向に移動し得るように支持すると共に、水平方向及び／又は垂直方向に旋回し得るように支持する。
【００２５】
好ましくはアーム１１は、それ自体がボード５に対して旋回可能となるようにしてスライダー８に設置される。そのためには、例えば、スライダー８にパイプ状の軸支筒１２を埋設し、アーム１１を軸支筒１２内に旋回可能に挿入するようにすればよい。その場合、アーム１１を所望の旋回位置並びに高さ位置に固定するための手段を配することが好ましい。
【００２６】
その手段としては、軸支筒１２の上端部に、アーム１１を取り巻いて緊締可能な締付バンド１３を配設する構成（図７（Ａ）参照）、軸支筒１２の外側から止めネジをねじ込み、その先端でアーム１１を押圧してその動きを制止させる構成、外側からスプリング付きピン４１を差し込み、そのスプリングの作用でピンの先端がアーム１１に適宜穿設されたピン孔４２内に進入してロックする構成（図７（Ｂ））、その他任意のロック手段を採用することができる。あるいは、それらのロック手段を配することなく、例えば、アーム１１の外周面と軸支筒１２の内周面とのクリアランスを約０．６ｍｍとすると共に、アーム１１の挿入深さを２５０ｍｍ以上確保することによって、両周面間に十分な摺動抵抗を持たせる方法を採用することもできる。
【００２７】
このような構成とすることによりアーム１１は、緊締手段等を緩めた状態において、スライダー８に軸支されて旋回可能且つ上下動可能となり、その先端に取り付けられるプロジェクター１を任意の高さ及び向きに配置することが可能となる。なお、通例、このアーム１１の旋回及び上下動は手動で行うが、シリンダーやモーター等による機械的駆動によって行うようにすることもできる。
【００２８】
アーム１１の先端部に対するプロジェクター１の取り付けは、直接、あるいは、プロジェクター吊持具２１を介して行う。例えば、プロジェクター吊持具２１は、アーム１１を進入させることによってアーム１１に設置される筒状のスライド枠２２と、垂直方向に向けてスライド枠２２に付設される摺動支持筒２３と、摺動支持筒２３内に摺動可能に挿入される吊持軸２４と、吊持軸２４の下端に取り付けられて吊持軸２４と直交方向にスライドするスライド棒２５と、スライド棒２５に吊持されるプロジェクター固定板２６とで構成される（図８参照）。
【００２９】
この場合アーム１１は、スライド枠２２内を摺動可能、換言すれば、スライド枠２２はアーム１１に沿って移動可能となる。このスライド枠２２の移動は、固定ネジ２７を緩めることにより行うことができ、また、吊持軸２４の摺動は、摺動支持筒２３にねじ込まれた固定ネジ２８を緩めることにより行うことができる。スライド棒２５は、フレキシブルクランプ２９を介して吊持軸２４の下端部に取り付けられる。フレキシブルクランプ２９は、２軸を所望の角度にして連結し得る金具であり、垂直状態の吊持軸２４に対してスライド棒２５を水平状態、あるいは、任意の傾斜状態にすることが可能である。
【００３０】
図９は、アーム１１に対するプロジェクター吊持具２１の他の取付方法を示すものである。それは、基板３５の一方の面に、プロジェクター吊持具２１の吊持軸２４を挿通するための軸挿入部３６を設け、その他方の面に、アーム１１の先端部を吊持軸２４と直交方向に挿入して受けるＵ型ベンダーボルト３７を設けたアーム取り付け具３４を用いるもので、その軸挿入部３６には緊締ネジ３８がねじ付けられ、また、基板３４を通り抜けるＵ型ベンダーボルト３７の一端部に緊締ナット３９がねじ付けられる。
【００３１】
この場合は、軸挿入部３６の緊締ネジ３８を緩めることで、軸挿入部３６に挿通されている吊持軸２４を上下動させることができ、また、Ｕ型ベンダーボルト３７の緊締ナット３９を緩めることで、そこに挿通されているアーム１１の先端部を摺動可能となり、それぞれの操作で、プロジェクター1の横方向位置及び高さ位置の調整が可能となる。
【００３２】
なお、プロジェクター固定板２６としては、あらゆるメーカーのプロジェクターに対応可能となるという意味において、パンチングメタルを採用し、これを適宜折曲して用いることが好ましい。
【００３３】
以上の構成によりプロジェクター１は、アーム１１の長さ方向に移動可能であると共に上下方向に移動可能である。また、プロジェクター１はプロジェクター固定板２６を介してスライド棒２５に連結されているので、フレキシブルクランプ２９の締め付けネジを緩めてスライド棒２５の傾斜角度を変更することにより、プロジェクター１の傾斜角度を任意に設定することができ、以て、アーム１１を旋回させることと相俟って、プロジェクター１を映写に最適な位置及び角度に配置する操作を、容易且つ迅速に行うことが可能となる。
【００３４】
プロジェクター吊持具２１としては、上記の他に、吊持軸２４とスライド棒２５とを自在軸継手（ユニバーサルジョイント）を介して連結する構成、あるいは、スライド棒２５を省略し、吊持軸２４に自在軸継手を介して直接プロジェクター１（又はプロジェクター固定板２６）を連結する構成も考えられる。この自在軸継手を用いた構成の場合は、プロジェクター１の首振り動作の自由性がより高まる。
【００３５】
位置検知センサー３は、図１及び図２に示される第１の実施形態におけるように、プロジェクターハンガー２に一体に設置される場合のほか、図３に示す第２の実施形態におけるように、プロジェクターハンガー２とは独立したものとして、別個にボード5のボード面又は枠部の適宜位置に設置されることもある。その設置は、恒久的な埋設方法であってもよいし、脱着可能な方法であってもよい。
【００３６】
パソコン置き台４も、プロジェクターハンガー２に一体に設置される構成と、別体にて設置される構成とがあり、図１及び図２には前者の例が示されている。その場合のパソコン置き台４は、下側のスライダー９と一体に設置されていて、スライダー９と共にスライドレール７に沿って移動可能である。
【００３７】
パソコン置き台４をプロジェクターハンガー２とは別体にする場合は、ボード５の下部等に固定的に設置することとしてもよいし（後述する移動式ボードの場合には、スタンドに設置することも可能）、スライドレール７又はこれに平行に敷設される別のスライドレールに、スライド可能に設置することとしてもよい。
【００３８】
上記いずれの場合においても、パソコン置き台４は、不使用時には邪魔にならないように折り畳み収納可能にし、パソコン使用時に起こしたり、引き出したりして水平状態にすることができるような構成にすることが好ましい。そのためのパソコン置き台４の構成としては種々のものが考えられ、Ｌ型蝶番の水平部を介して水平に支持させる構成、周回可能に取り付けて水平位置においてロックする機構を設ける構成、パソコン置き台４と連結支柱１０とにそれぞれ設けた角型パイプ同士を、挿入角度を変えて抜き差し可能にする構成、あるいは、航空機や新幹線の座席に設置されているような、引出し式テーブルの如き構成等を採用することができる。
【００３９】
特に、図１乃至図３に示されるような大型の固定式黒板においては、ボードの上辺部及び／又は下辺部、あるいは、側辺部の沿面等に、スライドコンセントを設置することが好ましい（図１０（Ａ）参照）。このスライドコンセントは、導電レールを内設した絶縁レールに対し、導電レールに摺接する導電端子を有する絶縁プラグを係合させたもので、絶縁プラグを絶縁レールに沿って任意の位置にずらし動かして使用することができる。また同時に、螺旋コード付き集合電源コンセント（図１０（Ｂ）参照）を用いることが好ましい。このスライドコンセントを配設し、また、集合電源コンセントを使用することにより、電源コード類が散乱して見苦しくなることを回避することができ、また、適宜照明器具を設置したりすることもでき、周辺の安全性を向上させることが可能となる。
【００４０】
なお、図中の符号１２は、上側のスライダー８に取り付けられたスピーカーであり、符号１３は、スライダー９をロックして固定するためのロック機構の例であり、また、符号１４は、プロジェクター１による投影面を表わしている。
【００４１】
図１乃至図３に示されるような大型の固定式黒板においては、プロジェクターハンガー２、位置検知センサー３、パソコン置き台４、スライダー８、９、連結支柱１０等の構成を、左右対称に一対設けることとしてもよい。その場合は、状況に応じて、左右いずれかのセットを利用することができ、また、左右のセットを同時に使用することもできる。
【００４２】
なお、黒板には、複数の筆記面を有するものとして、上げ下げ式黒板や引き分け式黒板があるが、本発明は、これらの構成の場合にも適用可能である。即ち、上げ下げ式黒板の場合は、前面側の上下動するボードに、また、引き分け式黒板の場合は、やはり前面側のボードに、それぞれ上記プロジェクターハンガー２、位置検知センサー３、パソコン置き台４、スライダー８、９、連結支柱１０等の構成を設置することができる。
【００４３】
図４に示す第３の実施形態は、ボード５をキャスター付きスタンド（支持脚）２１に設置することによって移動可能にした、移動式インタラクティブボードに関するものである。そこにおいて、上述した図１乃至図３に示される実施形態におけると同じ符号を付した部分の構成は、上記実施形態における構成に準じるので、説明を省略する。
【００４４】
この図４に示された実施形態においては、パソコン置き台４はスタンド３１に設置されているが、スライダー９に設置することができることは、上述した実施形態の場合と同様である。
【００４５】
このように本発明に係るインタラクティブボードは、プロジェクター１を支持するためのプロジェクターハンガー２と、マーカーやスタイラス等の入力手段のボード５上における位置を検知する位置検知センサー３と、パソコン置き台４とを備えて成るので、超音波・赤外線型、光学・赤外線型及びレーザ光線型等の送受信センサー方式による位置検知式送受信機能を用いたインタラクティブボードでありながら、タッチパネルセンサー方式を用いたインタラクティブボードと同様に、各種の黒板やホワイトボードにつき、既設、新設を問わず採用可能であり、且つ、使用者並びに施工業者にとって利便性が高いものである。
【００４６】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【符号の説明】
【００４７】
１        プロジェクター
２        プロジェクターハンガー
３        位置検知センサー
４        パソコン置き台
５        ボード
６、７    スライドレール
８、９    スライダー
１０      連結支柱
１１      アーム
１４      画像投影面
２１      プロジェクター吊持具
【図１】
2010201807.tif 000003
【図２】
2010201807.tif 000004
【図３】
2010201807.tif 000005
【図４】
2010201807.tif 000006
【図５】
2010201807.tif 000007
【図６】
2010201807.tif 000008
【図７】
2010201807.tif 000009
【図８】
2010201807.tif 000010
【図９】
2010201807.tif 000011
【図１０】
2010201807.tif 000012
【手続補正書】
【提出日】平成21年4月10日(2009.4.10)
【手続補正１】
【補正対象書類名】明細書
【補正対象項目名】００２５
【補正方法】変更
【補正の内容】
【００２５】
好ましくはアーム１１は、それ自体がボード５に対して旋回可能となるようにしてスライダー８に設置される。そのためには、例えば、スライダー８にパイプ状の軸支筒１６を埋設し、アーム１１を軸支筒１６内に旋回可能に挿入するようにすればよい。その場合、アーム１１を所望の旋回位置並びに高さ位置に固定するための手段を配することが好ましい。
【手続補正２】
【補正対象書類名】明細書
【補正対象項目名】００２６
【補正方法】変更
【補正の内容】
【００２６】
その手段としては、軸支筒１６の上端部に、アーム１１を取り巻いて緊締可能な締付バンド１３を配設する構成（図７（Ａ）参照）、軸支筒１６の外側から止めネジをねじ込み、その先端でアーム１１を押圧してその動きを制止させる構成、外側からスプリング付きピン４１を差し込み、そのスプリングの作用でピンの先端がアーム１１に適宜穿設されたピン孔４２内に進入してロックする構成（図７（Ｂ））、その他任意のロック手段を採用することができる。あるいは、それらのロック手段を配することなく、例えば、アーム１１の外周面と軸支筒１６の内周面とのクリアランスを約０．６ｍｍとすると共に、アーム１１の挿入深さを２５０ｍｍ以上確保することによって、両周面間に十分な摺動抵抗を持たせる方法を採用することもできる。
【手続補正３】
【補正対象書類名】図面
【補正対象項目名】図７
【補正方法】変更
【補正の内容】
【図７】
2010201807.tif 000013